(57)【特許請求の範囲】
【請求項１】
カメラヘッドと第１の弾性ユニットと回転ユニットとスライドレールスイッチと第２の弾性ユニットとを備え、
前記カメラヘッドが前記第１の弾性ユニットの一端に接続して端末のボディに変位可能に収容され、前記カメラヘッドの側面に接続溝が開設されており、
前記第１の弾性ユニットの他端が前記ボディに接続されており、
前記回転ユニットが前記接続溝及び前記スライドレールスイッチにそれぞれ接続されており、前記スライドレールスイッチを下へ動かすと、前記スライドレールスイッチに連動して前記回転ユニットが回動し、前記回転ユニットと前記接続溝とを分離させ、前記第１の弾性ユニットが前記カメラヘッドをポップアップし、前記カメラヘッドのポップアップ後、前記カメラヘッドを下方へ押圧することによって前記第１の弾性ユニットが圧縮され、前記接続溝が前記回転ユニットと係合し、前記回転ユニットに連動して前記スライドレールスイッチが動き、前記スライドレールスイッチをリセットさせ、
前記スライドレールスイッチが前記第２の弾性ユニットを介して前記ボディに接続されており、前記第２の弾性ユニットが前記スライドレールスイッチを復元するように付勢することを特徴とするカメラヘッド自動ポップアップ装置。
【請求項２】
前記回転ユニットは、Ｚ型の構造であり、前記回転ユニットは、上接続板、下接続板、および、前記上接続板と下接続板との間に位置する連結板を有し、
前記上接続板は、前記カメラヘッドがポップアップされていない場合、前記接続溝と係合し、
前記連結板には、円形スルーホールが設けられており、前記スルーホールは、前記ボディに設けられている回転軸と嵌合して前記回転ユニットを回動させ、
前記下接続板は、前記スライドレールスイッチに接続されていることを特徴とする請求項１に記載のカメラヘッド自動ポップアップ装置。
【請求項３】
前記スライドレールスイッチは、スライドレールとスライドボタンと接続プラグとを有し、
前記スライドボタンは、前記端末のボディのスイッチ通路を貫通して前記スライドレールに設けられており、前記スライドレールと一体的に前記端末のボディのスイッチ通路に沿ってスライド可能なものであり、
前記接続プラグの一端が前記スライドレールの下端に接続され、前記接続プラグの他端が前記第２の弾性ユニットに接続されており、
前記スライドレールの前記接続プラグに接続された一端に、接続孔がさらに設けられており、前記下接続板が前記接続孔内に挿設されていることを特徴とする請求項２に記載のカメラヘッド自動ポップアップ装置。
【請求項４】
前記上接続板と前記連結板との折曲部が直角を呈し、前記下接続板と前記連結板との折曲部が円弧状を呈することを特徴とする請求項２または３に記載のカメラヘッド自動ポップアップ装置。
【請求項５】
カメラヘッド自動ポップアップ装置とボディとを備える端末において、
前記カメラヘッド自動ポップアップ装置は、カメラヘッドと第１の弾性ユニットと回転ユニットとスライドレールスイッチと第２の弾性ユニットとを備え、
前記カメラヘッドが前記第１の弾性ユニットの一端に接続して前記端末のボディに変位可能に収容されており、前記カメラヘッドの側面に接続溝が開設されており、
前記第１の弾性ユニットの他端が前記ボディに接続されており、
前記回転ユニットが前記接続溝及び前記スライドレールスイッチにそれぞれ接続されており、前記スライドレールスイッチを下へ動かすと、前記スライドレールスイッチに連動して前記回転ユニットが回動し、前記回転ユニットと前記接続溝とを分離させ、前記第１の弾性ユニットが前記カメラヘッドをポップアップし、前記カメラヘッドのポップアップ後、前記カメラヘッドを下方へ押圧することによって前記第１の弾性ユニットが圧縮され、前記接続溝が前記回転ユニットと係合し、前記回転ユニットに連動して前記スライドレールスイッチが動き、前記スライドレールスイッチをリセットさせ、
前記スライドレールスイッチが前記第２の弾性ユニットを介して前記ボディに接続されており、前記第２の弾性ユニットが前記スライドレールスイッチを復元するように付勢することを特徴とする端末。
【請求項６】
前記回転ユニットは、Ｚ型の構造であり、前記回転ユニットは、上接続板、下接続板、および、前記上接続板と下接続板との間に位置する連結板を有し、
前記上接続板は、前記カメラヘッドがポップアップされていない場合、前記接続溝と係合し、
前記連結板には、円形スルーホールが設けられており、前記スルーホールは、前記ボディに設けられている回転軸と嵌合して前記回転ユニットを回動させ、
前記下接続板は、前記スライドレールスイッチに接続されていることを特徴とする請求項５に記載の端末。
【請求項７】
前記スライドレールスイッチは、スライドレールとスライドボタンと接続プラグとを有し、
前記スライドボタンは、前記端末のボディのスイッチ通路を貫通して前記スライドレールに設けられており、前記スライドレールと一体的に前記端末のボディのスイッチ通路に沿ってスライド可能なものであり、
前記接続プラグの一端が前記スライドレールの下端に接続され、前記接続プラグの他端が前記第２の弾性ユニットに接続されており、
前記スライドレールの前記接続プラグに接続された一端に、接続孔がさらに設けられており、前記下接続板が前記接続孔内に挿設されていることを特徴とする請求項６に記載の端末。
【請求項８】
前記上接続板と前記連結板との折曲部が直角を呈し、前記下接続板と前記連結板との折曲部が円弧状を呈することを特徴とする請求項６または７に記載の端末。
【発明の詳細な説明】
【技術分野】
【０００１】
本発明は、通信技術に関し、特に、カメラヘッド自動ポップアップ装置および端末に関する。
【背景技術】
【０００２】
端末のカメラヘッド機能の向上に伴って、携帯電話、タブレットＰＣなどの端末のカメラヘッドを選択して景物を撮像するユーザが多くなる。現在では、市販されている端末のカメラヘッドが何れも固定嵌込型である。すなわち、カメラヘッドは、機器ケースの表面に嵌め込められて、機器ケースの表面に少し突き出ているものである。
【発明の概要】
【発明が解決しようとする課題】
【０００３】
関連技術に存在する問題を克服するために、本発明は、カメラヘッド自動ポップアップ装置および端末を提供する。
【課題を解決するための手段】
【０００４】
本発明の実施例の第１の態様によれば、カメラヘッド自動ポップアップ装置を提供する。前記装置は、カメラヘッドと第１の弾性ユニットと回転ユニットとスライドレールスイッチと第２の弾性ユニットとを備え、前記カメラヘッドが前記第１の弾性ユニットの一端および端末のボディにそれぞれ接続され、前記カメラヘッドの側面に接続溝が開設されており、前記第１の弾性ユニットの他端が前記ボディに接続されており、前記回転ユニットが前記接続溝及び前記スライドレールスイッチにそれぞれ接続されており、前記スライドレールスイッチを下へ動かすと、前記スライドレールスイッチに連動して前記回転ユニットが回動し、前記回転ユニットと前記接続溝とを分離させ、前記第１の弾性ユニットが前記カメラヘッドをポップアップし、前記カメラヘッドのポップアップ後、前記カメラヘッドを下方へ押圧することによって前記第１の弾性ユニットが圧縮され、前記接続溝が前記回転ユニットと係合し、前記スライドレールスイッチが前記第２の弾性ユニットを介して前記ボディに接続されており、前記スライドレールスイッチがリセットされた後、前記第２の弾性ユニットが前記スライドレールスイッチを固定する。
【０００５】
本発明の実施例の第２の態様によれば、端末を提供する。前記端末は、カメラヘッド自動ポップアップ装置とボディとを備え、前記カメラヘッド自動ポップアップ装置は、カメラヘッドと第１の弾性ユニットと回転ユニットとスライドレールスイッチと第２の弾性ユニットとを備え、前記カメラヘッドが前記第１の弾性ユニットの一端および前記端末のボディにそれぞれ接続されており、前記カメラヘッドの側面に接続溝が開設されており、前記第１の弾性ユニットの他端が前記ボディに接続されており、前記回転ユニットが前記接続溝及び前記スライドレールスイッチにそれぞれ接続されており、前記スライドレールスイッチを下へ動かすと、前記スライドレールスイッチに連動して前記回転ユニットが回動し、前記回転ユニットと前記接続溝とを分離させ、前記第１の弾性ユニットが前記カメラヘッドをポップアップし、前記カメラヘッドのポップアップ後、前記カメラヘッドを下方へ押圧することによって前記第１の弾性ユニットが圧縮され、前記接続溝が前記回転ユニットと係合し、前記回転ユニットに連動して前記スライドレールスイッチが動き、前記スライドレールスイッチをリセットさせ、前記スライドレールスイッチが前記第２の弾性ユニットを介して前記ボディに接続されており、前記スライドレールスイッチがリセットされた後、前記第２の弾性ユニットが前記スライドレールスイッチを固定する。
【発明の効果】
【０００６】
本発明の実施例による技術案は、以下の格別な作用効果を含むことができる。カメラヘッド自動ポップアップ装置は、カメラヘッドと第１の弾性ユニットと回転ユニットとスライドレールスイッチと第２の弾性ユニットとを備え、カメラヘッドが第１の弾性ユニットの一端および端末のボディにそれぞれ接続されており、カメラヘッドの側面に接続溝が開設されており、第１の弾性ユニットの他端がボディに接続されており、スライドレールスイッチを下へ動かすと、スライドレールスイッチに連動して回転ユニットが回動し、回転ユニットと接続溝とを分離させ、第１の弾性ユニットがカメラヘッドをポップアップし、カメラヘッドのポップアップ後、カメラヘッドを下方へ押圧することにより第１の弾性ユニットが圧縮され、接続溝が回転ユニットと係合し、回転ユニットに連動してスライドレールスイッチが動き、スライドレールスイッチをリセットさせ、スライドレールスイッチが第２の弾性ユニットを介してボディに接続されており、スライドレールスイッチがリセットされた後、第２の弾性ユニットがスライドレールスイッチを固定する。これにより、当該カメラヘッド自動ポップアップ装置はカメラヘッドの自動ポップアップ及び復元を実現可能であり、カメラヘッドを機器ケース内に収納することができ、カメラヘッドをダメージから防止する。同時に、端末の外形をより美観にする。
【０００７】
上述した一般的な記述および後続の詳細な記述が単に例示的および解釈的なものであり、本発明を制限するためのものでないことは、理解されるべきである。
【図面の簡単な説明】
【０００８】
ここでの図面は、明細書を構成する一部として見なされ、本発明に適した実施例を示し、かつ、明細書の文字記載とともに本発明の仕組みを解釈するために用いられる。
【図１】ある実施例によるカメラヘッド自動ポップアップ装置を示す構造図である。
【図２】ある実施例によるボディを示す構造図である。
【図３】ある実施例によるカメラヘッドを示す構造図である。
【図４】ある実施例による回転ユニットを示す構造図である。
【図５】ある実施例によるスライドレールスイッチを示す構造図である。
【図６】カメラヘッドのポップアップ後のカメラヘッド自動ポップアップ装置の状態模式図である。
【図７】ある実施例による端末のためのブロック図である。
【発明を実施するための形態】
【０００９】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付する特許請求の範囲に記載されているように、本発明の一部の側面と一致する装置および方法の例に過ぎない。
【００１０】
図１は、ある実施例によるカメラヘッド自動ポップアップ装置を示す構造図である。図１に示すように、当該カメラヘッド自動ポップアップ装置は、カメラヘッド１１と第１の弾性ユニット１２と回転ユニット１３とスライドレールスイッチ１４と第２の弾性ユニット１５とを備える。
【００１１】
カメラヘッド１１が第１の弾性ユニット１２の一端および端末のボディ１０にそれぞれ接続されており、カメラヘッド１１の側面には、接続溝１１１が開設されている。第１の弾性ユニット１２の他端がボディ１０に接続されている。回転ユニット１３がそれぞれ接続溝１１１及びスライドレールスイッチ１４に接続されており、スライドレールスイッチ１４を下へ動かすと、スライドレールスイッチ１４の動きによって回転ユニット１３が回動して、回転ユニット１３と接続溝１１１とを分離させ、第１の弾性ユニット１２がカメラヘッド１１をポップアップし、カメラヘッド１１をポップアップした後、カメラヘッド１１を下方へ押圧することにより第１の弾性ユニット１２が圧縮され、接続溝１１１が回転ユニット１３と係合し、回転ユニット１３の動きによってスライドレールスイッチ１４が回動して、スライドレールスイッチ１４をリセットする。スライドレールスイッチ１４が第２の弾性ユニット１５を介してボディ１０に接続されており、スライドレールスイッチ１４をリセットした後、第２の弾性ユニット１５がスライドレールスイッチ１４を固定する。
【００１２】
図２は、ある実施例によるボディを示す構造図である。図２に示すように、ボディ１０には、ばね座１０１が設けられており、第１の弾性ユニット１２が１つまたは複数のスプリングを含み、第１の弾性ユニット１２の一端がばね座１０１を介してボディ１０に接続されている。第１の弾性ユニット１２の他端がカメラヘッド１１に接続されており、カメラヘッド１１は、第１の弾性ユニット１２が生じる弾力の作用でポップアップされることができる。ボディ１０には、回転軸１０２とスイッチ通路１０３とスイッチ通路１０３がさらに設けられている。好ましくは、ボディ１０には、制限ボス１０４がさらに設けられてもよい。
【００１３】
図３は、ある実施例によるカメラヘッドを示す構造図である。図３に示すように、カメラヘッド１１の側面には、接続溝１１１が開設されているが、本実施例では、接続溝１１１の形状、大きさ及び深さを限定しない。接続溝１１１は、回転ユニット１３と係合接続を行うためのものである。カメラヘッド１１がさらに第１の弾性ユニット１２に接続されており、回転ユニット１３と接続溝１１１との係合及び分離かつ第１の弾性ユニットとの協力により、カメラヘッド１１のポップアップ及び復元を実現する。カメラヘッド１１はさらにボディ１０に接続されている。カメラヘッド１１が回路基板を介してボディ１０内のマザーボードに電気的に接続されることで、カメラヘッド１１とマザーボードとの通信を実現する。
【００１４】
本実施例では、回転ユニット１３の具体的な構造を限定しない。回転ユニット１３の一端が接続溝１１１と係合接続され、回転ユニット１３の他端がスライドレールスイッチ１４に接続されている。スライドレールスイッチ１４を下へ動かすと、スライドレールスイッチ１４の動きによって回転ユニット１３を回動させることができ、回転ユニット１３と接続溝１１１とを分離させる。
【００１５】
図４は、ある実施例による回転ユニットを示す構造図である。図４に示すように、回転ユニット１３はＺ型の構造である。回転ユニット１３は、上接続板１３１、下接続板１３２、および上接続板１３１と下接続板１３２との間に位置する連結板１３３を有する。上接続板１３１と連結板１３３との折曲部が直角を呈し、下接続板１３２と連結板１３３との折曲部が円弧状を呈するが、当然、上接続板１３１と連結板１３３との折曲部、下接続板１３２と連結板１３３との折曲部はさらに他の形状であってもよい。
【００１６】
上接続板１３１はカメラヘッド１１がポップアップされていない場合、接続溝１１１と係合する。連結板１３３には、円形スルーホール１３４が設けられている。スルーホール１３４がボディ１０に設けられている回転軸１０２と嵌合して、回転ユニット１３を回転軸１０２に対して回動させる。回転ユニット１３を回転軸１０２対して回動させるためには、スルーホール１３４の直径を回転軸１０２の直径よりも大きくしなければならない。回転軸１０２は、さらに、回転ユニット１３の上下移動を制限できるが、図２に示すように、制限ボス１０４も、回転ユニット１３の上下移動の範囲を制限できる。下接続板１３２は、スライドレールスイッチ１４に接続するためのものである。
【００１７】
図５は、ある実施例によるスライドレールスイッチを示す構造図である。図５に示すように、前記スライドレールスイッチ１４は、スライドレール１４１とスライドボタン１４２と接続プラグ１４３とを有する。スライドボタン１４２は、スライドレール１４１に設けられており、スイッチ通路１０３に沿ってスライドすることができる。接続プラグ１４３の一方端がスライドレール１４１の下端に接続され、接続プラグ１４３の他方端が第２の弾性ユニット１５に接続されている。スライドレール１４１の接続プラグ１４３に接続された一方端には、接続孔１４４がさらに設けられている。
【００１８】
スライドボタン１４２は、ボディ１０のスイッチ通路１０３に穿設され、かつ、ボディ１０の外に露出されている。下接続板１３２は接続孔１４４に挿設されており、接続孔１４４の形状は矩形であってもよい。好ましくは、接続孔１４４の形状は、円形であってもよい。下接続板１３２の形状及び大きさは、接続孔１４４の大きさ及び形状に合わせる。すなわち、接続孔１４４の形状が矩形である場合、下接続板１３２の形状も矩形であり、接続孔１４４の形状が円形である場合、下接続板１３２の形状も円形である。下接続板１３２は、さらに、溶接の方式によってスライドレールスイッチ１４に接続され、または、ネジ接続の方式によって接続されてもよい、すなわち、スライドレールスイッチ１４にねじ穴を設けて、下接続板１３２をねじ状とする。
【００１９】
第２の弾性ユニット１５は１つのスプリングであってもよく、第２の弾性ユニット１５の弾力は第１の弾性ユニット１３の弾力よりも大きい。ボディ１０には、ばね座が設けられており、第２の弾性ユニット１５の一端がばね座に接続され、他端がスライドレールスイッチ１４の接続プラグ１４３に接続されている。
【００２０】
本実施例の自動ポップアップ装置の動作仕組みとしては、仮に初期状態において、カメラヘッド１１が復元状態にあり、すなわち、カメラヘッド１１を端末のボディ１０内に収納しているとすれば、カメラヘッド１１をポップアップする必要がある場合、ユーザがスライドレールスイッチ１４のスライドボタン１４２を下へ動かし、スライドレールスイッチ１４の動きによって回転ユニット１３が回動し、回転ユニット１３が回転した後でカメラヘッド１１の接続溝１１１と分離し、カメラヘッド１１は第１の弾性ユニット１２が生じる弾力の作用でポップアップされる。図６は、カメラヘッドのポップアップ後のカメラヘッド自動ポップアップ装置の状態模式図であり、これから分かるように、カメラヘッド１１がポップアップ状態にあるとき、第１の弾性ユニット１２が伸展状態にあり、第２の弾性ユニット１５が圧縮状態にある。
【００２１】
カメラヘッドのポップアップ後、カメラヘッド１１を復元する必要がある場合、ユーザがカメラヘッド１１を下方へ押圧することにより第１の弾性ユニット１２が圧縮され、回転ユニット１３が接続溝１１１と係合し、回転ユニット１３によって力をスライドレールスイッチ１４に伝達し、スライドレールスイッチ１４が回動して、スライドレールスイッチ１４をリセットさせ、スライドレールスイッチ１４をリセットした後、第２の弾性ユニット１５が生じるテンションの作用で、スライドレールスイッチ１４が固定されることにより、カメラヘッド１１がポップアップされないことを確保する。図１は、カメラヘッド自動ポップアップ装置がカメラヘッドを復元した後の状態模式図であり、これから分かるように、カメラヘッド１１の復元状態において、第１の弾性ユニット１２が圧縮状態にあり、第２の弾性ユニット１５が圧縮状態にある。
【００２２】
本発明の実施例では、カメラヘッド自動ポップアップ装置は、カメラヘッドと第１の弾性ユニットと回転ユニットとスライドレールスイッチと第２の弾性ユニットとを備え、カメラヘッドが第１の弾性ユニットの一端および端末のボディにそれぞれ接続されており、カメラヘッドの側面に接続溝が開設されており、第１の弾性ユニットの他端がボディに接続されており、スライドレールスイッチを下へ動かすと、スライドレールスイッチに連動して回転ユニットが回動し、回転ユニットと接続溝とを分離させ、第１の弾性ユニットがカメラヘッドをポップアップし、カメラヘッドのポップアップ後、カメラヘッドを下方へ押圧することにより第１の弾性ユニットが圧縮され、接続溝が回転ユニットと係合し、回転ユニットに連動してスライドレールスイッチが動き、スライドレールスイッチをリセットさせ、スライドレールスイッチが第２の弾性ユニットを介してボディに接続されており、スライドレールスイッチがリセットされた後、第２の弾性ユニットがスライドレールスイッチを固定する。これにより、当該カメラヘッド自動ポップアップ装置はカメラヘッドの自動ポップアップ及び復元を実現可能であり、カメラヘッドを機器ケース内に収納することができ、カメラヘッドをダメージから防止する。同時に、端末の外形をより美観にする。
【００２３】
図７は、ある実施例による端末のためのブロック図である。例えば、端末８００は、携帯電話、コンピュータ、デジタル放送端末、メッセージ送受信機器、ゲームコンソール、タブレットデバイス、医療設備、フィットネス機器、ＰＤＡなどであってもよい。
【００２４】
図７を参照すると、端末８００は、以下の１つ又は複数のユニット、すなわち、処理ユニット８０２、メモリ８０４、電源ユニット８０６、マルチメディアユニット８０８、オーディオユニット８１０、入力／出力（Ｉ／Ｏ）インターフェース８１２、センサユニット８１４及び通信ユニット８１６を備えてもよい。
【００２５】
処理ユニット８０２は通常、端末８００の全般操作、例えば、表示、電話発呼、データ通信、カメラヘッド操作及び記録操作に関連する操作を制御する。処理ユニット８０２は、前記方法のステップの全部又は一部を実行するように、指令を実行する１つ又は複数のプロセッサ８２０を備えてもよい。また、処理ユニット８０２は、処理ユニット８０２と他のユニットとの間の相互作用を容易にするように、１つ又は複数のモジュールを備えてもよい。例えば、処理ユニット８０２は、マルチメディアユニット８０８と処理ユニット８０２との間の相互作用を容易にするように、マルチメディアモジュールを備えてもよい。
【００２６】
メモリ８０４は、端末８００での操作をサポートするために、各種別のデータを記憶するように構成される。これらのデータの例示は、端末８００で操作する如何なるアプリケーションプログラムまたは方法の指令、連絡先データ、電話帳データ、メッセージ、ピクチャ、映像などを含む。メモリ８０４は、如何なる種別の揮発性もしくは不揮発性記憶デバイスまたはそれらの組合せ、例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクによって実現されてもよい。
【００２７】
電源ユニット８０６は、端末８００のユニットのそれぞれに電力を供給する。電源ユニット８０６は、電源管理システム、１つまたは複数の電源、並びに、端末８００用の電力を生成、管理および配分するに関する他のユニットを含んでもよい。
【００２８】
マルチメディアユニット８０８は、前記端末８００とユーザとの間に１つの出力インターフェースを供給するスクリーンを備える。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、タッチスクリーンとして実現されてもよい。タッチパネルは、タッチ、スライドおよびタッチパネルでのジェスチャーを感知するように、１つまたは複数のタッチセンサを含む。前記タッチセンサは、タッチまたはスライド動作の境界を感知するだけではなく、前記タッチまたはスライド操作と関連する持続時間および圧力をさらに検出することができる。一部の実施例では、マルチメディアユニット８０８は、１つのフロントカメラヘッドおよび／またはバックカメラヘッドを含む。端末８００が操作モード、例えば、撮像モードまたは映像モードにあるとき、フロントカメラヘッドおよび／またはバックカメラヘッドは、外部のマルチメディアデータを受信することができる。フロントカメラヘッドおよびバックカメラヘッドのそれぞれは、１つの固定の光学レンズシステムであってもよいし、焦点距離および光学ズーム能力を有するものであってもよい。
【００２９】
オーディオユニット８１０は、オーディオ信号を出力および／または入力するように構成される。例えば、オーディオユニット８１０は、マイク（ＭＩＣ）を備え、端末８００が操作モード、例えば、発呼モード、記録モードおよび音声識別モードにあるとき、マイクは、外部オーディオ信号を受信するように構成される。受信されたオーディオ信号は、さらに、メモリ８０４に記憶される、または、通信ユニット８１６を介して送信されることができる。一部の実施例では、オーディオユニット８１０は、さらに、オーディオ信号を出力するためのスピーカをさらに含む。
【００３０】
Ｉ／Ｏインターフェース８１２は、処理ユニット８０２とペリフェラルインターフェースモジュールとの間でインターフェースを供給するものであり、前記ペリフェラルインターフェースモジュールは、キーボード、クリックホイール、ボタンなどであってもよい。これらのボタンは、ホームページボタン、ボリュームボタン、起動ボタンおよびロックボタンを含んでもよいが、それらに限定されない。
【００３１】
センサユニット８１４は、様々な側面での状態推定を端末８００に供給するための１つまたは複数のセンサを含む。例えば、センサユニット８１４は、機器８００のオン／オフ状態、ユニットの相対位置を検出することができ、例えば、前記ユニットは、端末８００のディスプレイおよびキーパッドである。センサユニット８１４は、さらに、端末８００もしくは端末８００の１つのユニットの位置変更、ユーザと端末８００との接触の存在もしくは不存在、端末８００の方位または加速／減速および端末８００の温度変化をさらに検出することができる。センサユニット８１４は、如何なる物理的接触もないとき、近辺にある物体の存在を検出するための近接センサを含んでもよい。センサユニット８１４は、さらに、イメージングアプリケーションに使用される光センサ、例えばＣＭＯＳまたはＣＣＤ画像センサを含んでもよい。一部の実施例では、当該センサユニット８１４は、さらに、加速度センサ、ジャイロセンサ、磁気センサ、圧力センサまたは温度センサを含んでもよい。
【００３２】
通信ユニット８１６は、端末８００と他の機器間の無線または有線方式の通信が便利になるように構成される。端末８００は、通信規格に基づく無線ネットワーク、例えば、ＷｉＦｉ、２Ｇもしくは３Ｇ等の通信規格、またはそれらの組合せに基づく無線ネットワークにアクセスすることができる。ある実施例では、通信ユニット８１６は、外部ブロードキャスト管理システムからのブロードキャスト信号またはブロードキャスト関連情報をブロードキャストチャネルを介して受信する。ある実施例では、前記通信ユニット８１６は、さらに、短距離通信を容易にするように、ニアフィールド通信（ＮＦＣ）モジュールを含んでもよい。例えば、ＮＦＣモジュールでは、無線周波数識別（ＲＦＩＤ）技術、赤外線データ協会（ＩｒＤＡ）技術、超広帯域（ＵＷＢ）技術、ブルートゥース（登録商標）（ＢＴ）技術および他の技術によって実現されてもよい。
【００３３】
実施例では、端末８００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【００３４】
実施例では、指令を含む非一時的コンピュータ読み取り可能な記憶媒体、例えば、指令を含むメモリ８０４をさらに提供し、上記指令が端末８００のプロセッサ８２０によって実行されることで上述した方法を実施させることができる。例えば、前記非一時的コンピュータ読み取り可能な記憶媒体は、ＲＯＭ、ランダムアクセスメモリ（ＲＡＭ）、ＣＤ-ＲＯＭ、磁気テープ、フロッピーディスクおよび光データ記憶機器などであってもよい。
【００３５】
実施例では、マルチメディアユニット８０８は、カメラヘッド自動ポップアップ装置をさらに備えてもよく、カメラヘッド自動ポップアップ装置は、カメラヘッドと第１の弾性ユニットと回転ユニットとスライドレールスイッチと第２の弾性ユニットとを備え、
カメラヘッドがそれぞれ第１の弾性ユニットの一端および端末８００のボディに接続されており、カメラヘッドの側面に接続溝が開設されており、
第１の弾性ユニットの他端がボディに接続されており、
回転ユニットがそれぞれ接続溝及びスライドレールスイッチに接続されており、スライドレールスイッチを下へ動かすと、スライドレールスイッチに連動して回転ユニットが回動し、回転ユニットと接続溝とを分離させ、第１の弾性ユニットがカメラヘッドをポップアップし、カメラヘッドのポップアップ後、カメラヘッドを下方へ押圧することによって第１の弾性ユニットが圧縮され、接続溝が回転ユニットと係合し、回転ユニットの動きによってスライドレールスイッチが回動して、スライドレールスイッチをリセットさせ、
スライドレールスイッチが第２の弾性ユニットを介してボディに接続されており、スライドレールスイッチがリセットされた後、第２の弾性ユニットがスライドレールスイッチを固定する。
【００３６】
回転ユニットはＺ型の構造であり、回転ユニットは上接続板、下接続板、および、上接続板と下接続板との間に位置する連結板を有し、上接続板はカメラヘッドがポップアップされていない場合、接続溝と係合し、連結板には、円形スルーホールが設けられており、スルーホールが前記ボディに設けられている回転軸と嵌合して回転ユニットを回動させ、下接続板がスライドレールスイッチに接続されている。
【００３７】
スライドレールスイッチは、スライドレールとスライドボタンと接続プラグとを有し、スライドボタンは、スライドレールに設けられており、スイッチ通路に沿ってスライドすることができ、接続プラグの一方端がスライドレールの下端に接続され、接続プラグの他方端が第２の弾性ユニットに接続されており、スライドレールと接続プラグとが接続される一方端には、接続孔がさらに設けられており、下接続板が接続孔内に挿設されている。
【００３８】
上接続板と連結板との折曲部が直角を呈し、下接続板と連結板との折曲部が円弧状を呈する。
【００３９】
当業者は、明細書を考慮し、ここに公開された開示を実践した後、本発明の他の実施案を容易に想到する。本願は、本発明の如何なる変形、用途または適応的変化もカバーすることを意図する。これらの変形、用途または適応的変化は、本発明の一般的な仕組みに従い、かつ、本発明に開示されていない当分野における公知常識または慣用技術手段を含む。明細書および実施例は単なる例示と見なされ、本発明の本当の範囲および思想は添付の特許請求の範囲によって与えられる。
【００４０】
本発明が以上で記載され、且つ図面に示された正確な構造に限定されるものでなく、その要旨を逸脱しない範囲で様々な補正や変更も可能であることは理解されるべきである。本発明の範囲は、添付する特許請求の範囲のみによって限定される。
【００４１】
本願は、出願番号が２０１５１０５５７２０８.８であり、出願日が２０１５年９月２日である中国特許出願に基づき優先権を主張する。当該中国特許出願の全ての内容は、参照のため本願に援用される。
【符号の説明】
【００４２】
１０  ボディ                        １１  カメラヘッド
１２  第１の弾性ユニット            １３  回転ユニット
１４  スライドレールスイッチ        １５  第２の弾性ユニット
１０１  ばね座                      １０２  回転軸
１０３  スイッチ通路                １０４  ボス
１１１  接続溝                      １３１  上接続板
１３２  下接続板                    １３３  連結板
１３４  円形スルーホール            １４１  スライドレール
１４２  スライドボタン              １４３  接続プラグ
１４４  接続孔
【図１】
0006300909.tif 000002
【図２】
0006300909.tif 000003
【図３】
0006300909.tif 000004
【図４】
0006300909.tif 000005
【図５】
0006300909.tif 000006
【図６】
0006300909.tif 000007
【図７】
0006300909.tif 000008